(57)【要約】【課題】  設備投資のコストを最小化しつつ、有線及び無線網加入者に同時に超高速の広帯域サービスを提供できる波長分割多重方式の光加入者網を提供する。【解決手段】  有線用の第１の光信号群と無線用の第２の光信号群とを多重化した下り光信号を生成する中央基地局と、中央基地局と光ファイバを介して接続しており、中央基地局から受信した下り光信号を逆多重化して、第１の光信号群と第２の光信号群とを生成する地域基地局と、地域基地局と接続しており、地域基地局により生成された第１の光信号群の所定の波長の光信号を各々受信する複数の加入者装置と、地域基地局と接続しており、地域基地局により生成された第２の光信号群の所定の波長の光信号を各々無線電気信号に変換し、該変換された無線電気信号を無線転送する複数の無線遠隔基地局とを備える。【選択図】図３
2006067603.tif 000002
【特許請求の範囲】
【請求項１】
有線用の第１の光信号群と無線用の第２の光信号群とを多重化した下り光信号を生成する中央基地局と、
前記中央基地局と光ファイバを介して接続しており、前記中央基地局から受信した前記下り光信号を逆多重化して、前記第１の光信号群と前記第２の光信号群とを生成する地域基地局と、
前記地域基地局と接続しており、前記地域基地局により生成された前記第１の光信号群の該当波長の光信号を各々受信する複数の加入者装置と、
前記地域基地局と接続しており、前記地域基地局により生成された前記第２の光信号群の該当波長の光信号を各々無線電気信号に変換し、該変換された無線電気信号を無線転送する複数の無線遠隔基地局と、
を備えることを特徴とする波長分割多重方式の光加入者網。
【請求項２】
前記中央基地局は、
広波長帯域光を生成する広帯域光源と、
前記第１の光信号群と前記第２の光信号群とを多重化すると共に、前記広波長帯域光を相異なる波長を有する複数の非干渉性チャンネルに逆多重化する多重化器と、
前記多重化器と接続しており、前記非干渉性チャンネルにより波長ロックされた前記第１の光信号群を生成する複数の光源と、
前記多重化器と接続しており、無線電気信号を前記第２の光信号群に変換する複数の電光変換部と、
前記多重化器で多重化した前記下り光信号を前記地域基地局に出力すると共に、前記広帯域光源から入力された前記広波長帯域光を前記多重化器に出力するサーキュレータと、
を備えることを特徴とする請求項１に記載の波長分割多重方式の光加入者網。
【請求項３】
前記中央基地局は、
前記サーキュレータと前記広帯域光源との間に配置されたバンド割当てモジュールをさらに備え、
前記バンド割当てモジュールは、前記広帯域光源から入力された広波長帯域光の波長帯域のうち、前記第２の光信号群と重複する波長帯域を除いた波長帯域を有する広波長帯域光を前記サーキュレータに通過させることを特徴とする請求項２に記載の波長分割多重方式の光加入者網。
【請求項４】
前記地域基地局は、
前記中央基地局で生成された下り光信号を逆多重化する逆多重化器を備えることを特徴とする請求項１に記載の波長分割多重方式の光加入者網。
【請求項５】
前記各加入者装置は、
前記地域基地局と接続しており、前記地域基地局により生成された前記第１の光信号群の該当波長の光信号を各々受信する光検出器を備えることを特徴とする請求項１に記載の波長分割多重方式の光加入者網。
【請求項６】
前記各無線遠隔基地局は、前記地域基地局と接続しており、前記地域基地局により生成された前記第２の光信号群の該当波長の光信号を各々無線電気信号に変換する光電変換器と、
前記光電変換器から入力された無線電気信号を無線転送するアンテナと、
を備えることを特徴とする請求項１に記載の波長分割多重方式の光加入者網。
【請求項７】
前記電光変換部は、
基底帯域の電気信号をＲＦ周波数帯域に変換した無線電気信号を生成するＲＦ変換器と、
無線電気信号を前記第２の光信号群に変換する電光変換器と、
を備えることを特徴とする請求項２に記載の波長分割多重方式の光加入者網。
【請求項８】
前記光電変換器は、前記第２の光信号群を検出するフォトダイオードを備えることを特徴とする請求項６に記載の波長分割多重方式の光加入者網。
【請求項９】
前記電光変換器は、無線電気信号を前記第２の光信号群に変換する半導体レーザーを備えることを特徴とする請求項７に記載の波長分割多重方式の光加入者網。
【請求項１０】
前記電光変換器は、無線電気信号を前記第２の光信号群に変換する外部光変調器を備えることを特徴とする請求項７に記載の波長分割多重方式の光加入者網。
【請求項１１】
有線用の第１の下り光信号群及び無線用の第２の下り光信号群を下り光信号に多重化して出力する中央基地局と、
前記中央基地局と光ファイバを介して接続しており、前記中央基地局から入力された前記下り光信号を逆多重化して前記第１の下り光信号群及び前記第２の下り光信号群を生成すると共に、多重化した上り光信号を前記中央基地局に出力する地域基地局と、
前記地域基地局と接続しており、前記地域基地局にて生成された前記第１の下り光信号群の該当波長の光信号を受信すると共に、波長ロックされた第１の上り光信号群を前記地域基地局を介して前記中央基地局に出力する複数の加入者装置と、
前記地域基地局と接続しており、前記地域基地局にて生成された前記第２の下り光信号群の該当波長の光信号を無線電気信号に変換し、変換された無線電気信号を無線転送する複数の無線遠隔基地局と、
を備えることを特徴とする受動型光加入者網。
【請求項１２】
前記中央基地局は、
広波長帯域光を生成する広帯域光源と、
前記第１の下り光信号群及び第２の下り光信号群を前記下り光信号に多重化して前記地域基地局に出力すると共に、前記上り光信号を逆多重化する第１の多重化/逆多重化器と、
前記第１の下り光信号群を生成する複数の下り送信器と、
前記第２の下り光信号群を生成する複数の電光変換部と、
前記第１の多重化/逆多重化器で逆多重化した前記第１の上り光信号群を検出する複数の上り光検出器と、
を備えることを特徴とする請求項１１に記載の受動型光加入者網。
【請求項１３】
前記中央基地局は、
前記第１の下り光信号群を前記第１の多重化/逆多重化器に出力すると共に、前記第１の多重化/逆多重化器で逆多重化した前記第１の上り光信号群を前記上り光検出器に出力する複数の波長選択結合器と、
前記第１の多重化/逆多重化器と前記地域基地局との間に配置されることで、多重化した前記下り光信号を前記地域基地局に出力すると共に、多重化した前記上り光信号を前記第１の多重化/逆多重化器に出力する光結合器と、
前記広帯域光源で生成された前記広波長帯域光のうち、前記第２の下り光信号群の波長帯域に重複していない波長帯域の下り光を、前記光結合器を介して前記第１の多重化/逆多重化器に出力する第１のバンド割当てモジュールと、
前記広帯域光源で生成された前記広波長帯域光のうち、前記第２の上り光信号群の波長帯域に重複していない波長帯域の上り光のみを、前記光結合器を介して前記地域基地局に出力する第２のバンド割当てモジュールと、
をさらに備えることを特徴とする請求項１２に記載の受動型光加入者網。
【請求項１４】
前記地域基地局は、
前記下り光信号を逆多重化して、前記第１の下り光信号群の該当波長の光信号について各加入者装置に出力し、前記第２の下り光信号群の該当波長の光信号について各無線遠隔基地局に出力すると共に、前記加入者装置から入力された第１の上り光信号群を多重化して、前記中央基地局に出力する第２の多重化/逆多重化器を備え、
前記第２の多重化/逆多重化器は、前記上り光を前記各加入者装置を波長ロックする複数の非干渉性チャンネルに逆多重化することを特徴とする請求項１３に記載の受動型光加入者網。
【請求項１５】
前記各加入者装置は、
前記第１の下り光信号群を検出する下り光検出器と、
波長ロックされた第１の上り光信号群を生成する上り光源と、
前記第１の上り光信号群を前記地域基地局に出力し、前記地域基地局から入力された前記第１の下り光信号群を前記下り光検出器に出力する波長選択結合器と、
を備えることを特徴とする請求項１１に記載の受動型光加入者網。
【請求項１６】
前記各無線遠隔基地局は、
前記地域基地局から入力された前記第２の下り光信号群を分配する遠隔基地局と、
前記遠隔基地局の指示に応じて入力された前記第２の下り光信号群を無線電気信号に変換し、前記無線電気信号を隣接した無線ＬＡＮ端末機に転送する無線信号送信部と、
を備えることを特徴とする請求項１１に記載の受動型光加入者網。
【請求項１７】
前記無線信号送信部は、
前記第２の下り光信号群を無線電気信号に変換する光電変換器と、
前記無線電気信号を転送するアンテナと、
を備えることを特徴とする請求項１６に記載の受動型光加入者網。
【請求項１８】
前記光電変換器は、フォトダイオードを含むことを特徴とする請求項１７に記載の受動型光加入者網。
【請求項１９】
前記各無線遠隔基地局は、
前記地域基地局から入力された前記第２の下り光信号群を分配する遠隔基地局と、前記遠隔基地局と接続している複数の無線送信部とを備え、
前記各無線送信部は、前記遠隔基地局から入力された前記第２の下り光信号群を無線電気信号に変換して、隣接した携帯用無線端末機に送信することを特徴とする請求項１１に記載の受動型光加入者網。
【請求項２０】
前記各無線送信部は、
前記第２の下り光信号群を無線電気信号に変換する光電変換器と、
前記無線電気信号を転送するアンテナと、
を備えることを特徴とする請求項１９に記載の受動型光加入者網。
【請求項２１】
前記中央基地局は、
波長ロックされた有線用の前記第１の下り光信号群を生成する複数の下り送信器と、
前記第１の上り光信号群の該当波長の光信号を検出する複数の上り光検出器と、
広波長帯域光を生成する広帯域光源と、
前記第１の下り光信号群及び前記第２の下り光信号群を前記下り光信号に多重化して前記地域基地局に出力すると共に、前記広波長帯域光を各波長によって分割して前記各下り送信器に出力する多重化器と、
前記各上り光検出器及び前記各下り送信器を前記多重化器に接続する波長選択結合器と、
時分割または周波数分割多重化した前記第２の下り光信号群を生成する光送信モジュールと、
前記広波長帯域光を前記多重化器に出力し、多重化した前記下り光信号を前記地域基地局に出力する光結合器と、
前記広帯域光源で生成された広波長帯域光の波長帯域のうち、前記第２の下り光信号群の波長帯域と重複する波長帯域は遮断し、残りの波長帯域の広波長帯域光を前記光結合器に出力する第１のバンド割当てモジュールと、
前記広帯域光源で生成された広波長帯域光の波長帯域のうち、前記第２の上り光信号群の波長帯域と重複する波長帯域は遮断し、残りの波長帯域の広波長帯域光を前記光結合器に出力する第２のバンド割当てモジュールと、
を備えることを特徴とする請求項１１に記載の受動型光加入者網。
【請求項２２】
前記光送信モジュールは、
所定の波長の第１の搬送信号によって第１の無線信号を変調する第１変調器と、
前記第１の無線信号を生成する第１の無線生成器と、
時分割または周波数分割した第２の搬送信号によって第２の無線信号を変調する第２変調器と、
前記第２の無線信号を生成する第２の無線生成器と、
前記第１の無線信号及び前記第２の無線信号を結合するコンバージョンと、
前記第１の無線信号及び前記第２の無線信号を前記第２の下り光信号群に電光変換し、前記多重化器に出力する電光変換器と、
を備えることを特徴とする請求項２１に記載の受動型光加入者網。
【請求項２３】
前記各無線遠隔基地局は、
前記第２の下り光信号群を無線電気信号に変換する無線送信部と、
前記無線電気信号を隣接した携帯用無線端末機に送信するアンテナと、
を備えることを特徴とする請求項２１に記載の受動型光加入者網。
【請求項２４】
前記各無線送信部は、
前記第２の下り光信号群を無線電気信号に変換する光電変換器と、
無線電気信号を、無線通信信号と無線ＬＡＮ信号とに分割出力する無線信号逆多重化器と、
前記無線通信信号を増幅する電力増幅器と、
前記無線通信信号と無線ＬＡＮ信号とを区分するダイプレクサと、
前記ダイプレクサと前記電力増幅器との間に位置し、前記無線通信信号が上りまたは下りリンクかを確認するデュプレクサと、
前記無線信号逆多重化器と前記ダイプレクサから入力された無線ＬＡＮ信号を２.４ＧＨz帯域に変換し、前記ダイプレクサを通して転送する無線ＬＡＮ変換器と、
を備えることを特徴とする請求項２３に記載の受動型光加入者網。
【請求項２５】
前記無線送信部は、
前記デュプレクサから入力された無線ＬＡＮ信号を増幅する無線ＬＡＮ信号増幅器と、
前記無線ＬＡＮ信号増幅器と前記無線ＬＡＮ変換器から入力された無線ＬＡＮ信号を多重化して、上り転送する無線ＬＡＮ信号多重化器と、
前記無線ＬＡＮ信号を第２の上り光信号群に変換する電光変換器と、
前記電光変化器及び前記光電変換器を前記地域基地局にリンクする波長選択結合器と、
をさらに備えることを特徴とする請求項２４に記載の受動型光加入者網。
【発明の詳細な説明】
【技術分野】
【０００１】
本発明は光加入者網に関し、特に、有線及び無線網を同時にサービスを提供できる波長分割多重方式の光加入者網及びそれを用いた受動型光加入者網に関する。
【背景技術】
【０００２】
近年、加入者網において、有線や移動通信等のトラフィックは、６４ｋｂｐｓの音声信号から数Ｍｂｐｓの帯域幅を必要とするマルチメディア信号などのように、様々なトラフィック及び広帯域幅を有する信号形態に変化しつつある。このような加入者網において、様々な形態のトラフィック及び１００Ｍｂｐｓ以上の帯域幅を充足できる波長分割多重方式の受動型光加入者網に関する研究が活発に進行している。中でも、受動型光加入者網は、各加入者装置に固有の波長を付与し、固有の波長を有する光信号を各加入者装置に提供することで、秘密維持及び回線拡張の容易性などのような長所を持つ。
【０００３】
図１は、従来技術による波長分割多重方式の光加入者網を示す図であり、図２Ａから図２Ｄは図１の光加入者網を説明するためのグラフである。図1及び図２Ａから図２Ｄを参照すれば、従来の光加入者網１００は、上り光信号を検出して多重化した下り光信号を生成する中央基地局１１０と、下り光信号が提供されて上り光信号を生成する加入者装置群１３０と、加入者装置群１３０と中央基地局１１０とを中継する地域基地局１２０とを含む。
【０００４】
中央基地局１１０は、相異なる波長を有する波長ロックされた下り光信号を生成する複数の下り送信器１１１-１〜１１１-Ｎと、下り光信号を多重化する第１の多重化器１１３と、下り送信器１１１-１〜１１１-Ｎを波長ロックするための下り光を生成する下り広帯域光源１１５と、多重化した上り光信号を逆多重化する第１の逆多重化器１１４と、逆多重化した上り光信号を検出する複数の上り検出器１１２-１〜１１２-Ｎと、加入者装置群１３０を波長ロックするための上り光を生成する上り広帯域光源１１７とを含む。
【０００５】
第１の多重化器１１３は、下り光ファイバ１０１により地域基地局１２０とリンクされており、第１のサーキュレータ１１６を介して入力された下り光を、相異なる波長を有する非干渉性チャンネルに逆多重化した後、下り光源１１１-１〜１１１-Ｎに入力させる。また、第１の多重化器１１３は、下り光信号を多重化し、第１のサーキュレータ１１６を介して地域基地局１２０に出力する。下り広帯域光源１１５で生成された下り光は図２Ａに示すようなパワー分布を有し、第１のサーキュレータ１１６を介して第１の多重化器１１３に入力される。第１の多重化器１１３は、下り光を図２Ｂに示すような各々所定の波長にピークを有する複数の非干渉性チャンネルに分割し、下り送信器１１１-１〜１１１-Ｎに出力する。下り送信器１１１-１〜１１１-Ｎは、多重モード出力特性を持つファブリーペローレーザーダイオード(Ｆａｂｒｉ  Ｐｅｒｒｏｔ-Ｌｌａｓｅｒ  Ｄｉｏｄｅ：ＦＰ-ＬＤ)または半導体光増幅器(Ｓｅｍｉｃｏｎｄｕｃｔｏｒ  Ｏｐｔｉｃａｌ  Ａｍｐｌｉｆｉｅｒ：ＳＯＡ)からなることができる。下り送信器１１１-１〜１１１-Ｎが、図２Ｃに示すような多重モードを有する出力特性を持つＳＯＡの場合には、下り送信器１１１-１〜１１１-Ｎに印加される図２Ｂに示すような非干渉性チャンネルのピーク波長と一致する下り送信器１１１-１〜１１１-Ｎの多重モードの中の一つの波長について波長ロックされた下り光信号が、図２Ｄに示すように生成される。
【０００６】
第１の逆多重化器１１４は、上り光ファイバ１０２により地域基地局１２０とリンクされており、第２のサーキュレータ１１８を介して入力された多重化した上り光信号を逆多重化し、上り検出器１１２-１〜１１２-Ｎに出力する。第２のサーキュレータ１１８は、地域基地局１２０と第１の逆多重化器１１４との間に配置され、上り広帯域光源１１７と接続することで、上り光を地域基地局１２０に出力する。
【０００７】
地域基地局１２０は、下り光ファイバ１０１により第１の多重化器１１３とリンクされた第２の逆多重化器１２１と、上り光ファイバ１０２により第１の逆多重化器１１４とリンクされた第２の多重化器１２２とを含む。
【０００８】
第２の逆多重化器１２１は、多重化した下り光信号を逆多重化して加入者装置群１３０に出力する。第２の多重化器１２２は、上り光を各々の波長を有する非干渉性チャンネルに逆多重化して加入者装置群１３０に出力し、加入者装置群１３０で波長ロックされた上り光信号を多重化して中央基地局１１０に出力する。
【０００９】
加入者装置群１３０は、複数の加入者装置１３０−１〜１３０−Ｎからなり、各加入者装置１３０−１〜１３０−Ｎは、第２の多重化器１２２に接続している複数の上り光源１３２-１〜１３２-Ｎと、第２の逆多重化器１２１で逆多重化した下り光信号を検出する複数の下り検出器１３１-１〜１３１-Ｎとを各々含む。
【００１０】
各上り光源１３２-１〜１３２-Ｎは、非干渉性チャンネルにより波長ロックされた上り光信号を生成し、生成された上り光信号を第２の多重化器１２２に出力する。
【００１１】
しかしながら、前述した方式の光加入者網は、初期投資のコストが増加するという問題点がある。
【００１２】
これに対し、無線網は、移動性に優れ、ＰＭＰ(Ｐｏｉｎｔ  ｔｏ  ｍｕｌｔｉ-ｐｏｉｎｔ)接続が可能であるが、高損失や帯域幅の制限等の短所がある。このような短所を解決するための方法として、光無線網(Ｒａｄｉｏ-ｏｖｅｒ  ｆｉｂｅｒ：ＲＯＦ)技術が提案されている。
【００１３】
光無線網技術は、光ファイバを用いて一定の帯域幅を有する無線電気信号(Ｒａｄｉｏ  ｆｒｅｑｕｅｎｃｙ)を転送するための技術であって、光無線網は、光ファイバによりリンクされた中央基地局と無線遠隔基地局とを有する。中央基地局は、無線電気信号を光信号に変換して無線遠隔基地局に転送し、無線遠隔基地局は、受信した光信号を無線電気信号に変換して隣接した無線端末機に転送する。
【００１４】
このような光無線網は、複数の無線遠隔基地局に分散された電気機器を中央基地局に集中させることで、無線遠隔基地局を、光送受信器と遠距離アンテナユニット(Ｒｅｍｏｔｅ  ａｎｔｅｎｎａ  ｕｎｉｔ)だけで簡略に構成でき、広帯域幅を有する信号の転送が可能であり、周波数効率を向上することが可能である等の利点がある。
【００１５】
しかしながら、従来の波長分割多重方式の光加入者網は、有線加入者向きのサービスを提供するため、光ファイバ布設等の初期投資及び維持のコストが増加し、拡張性に制約があるという問題点がある。また、光無線網においても、光ファイバ布設等に高コストが発生するため、普及及び使用に制約があるという問題点がある。
【００１６】
さらに、様々なマルチメディア機能を備えた様々な形態の無線端末機の普及に伴い、広帯域で高速の無線サービスを提供できる光無線網の需要が急増し、光ファイバ布設等の初期投資のコストが高くなり、専用網の確保に多くの時間がかかるという問題点がある。
【発明の開示】
【発明が解決しようとする課題】
【００１７】
よって、本発明の目的は、設備投資のコストを最小化しつつ、有線及び無線網加入者に同時に超高速の広帯域サービスを提供できる波長分割多重方式の光加入者網を提供することにある。
【課題を解決するための手段】
【００１８】
本発明の波長分割多重方式の光加入者網は、高速の有線データサービスを加入者装置に転送するための第１の光信号群と、無線データサービスを遠隔距離の加入者装置に転送するために印加された第２の光信号群とを多重化して下り光信号を生成する中央基地局と、中央基地局と光ファイバを介して接続しており、中央基地局から受信した下り光信号を逆多重化して、第１の光信号群と第２の光信号群を生成する地域基地局と、地域基地局と接続しており、各々逆多重化した第１の光信号群の所定の波長の光信号を受信する複数の加入者装置と、地域基地局と接続しており、各々逆多重化した第２の光信号群の所定の波長の光信号を無線電気信号に変換し、変換された無線電気信号を無線転送する複数の無線遠隔基地局とを備える。
【００１９】
また、本発明の受動型光加入者網は、有線用の第１の下り光信号群及び無線用の第２の下り光信号群とを下り光信号に多重化して出力する中央基地局と、中央基地局と光ファイバを介して接続しており、中央基地局から入力された下り光信号を逆多重化して第１の下り光信号群及び第２の下り光信号群を生成すると共に、多重化した上り光信号を中央基地局に出力する地域基地局と、地域基地局と接続しており、地域基地局にて生成された第１の下り光信号群の所定の波長の光信号を受信すると共に、波長ロックされた第１の上り光信号群を地域基地局を介して中央基地局に出力する複数の加入者装置と、地域基地局と接続しており、地域基地局にて生成された第２の下り光信号群の所定の波長の光信号を無線電気信号に変換し、変換された無線電気信号を無線転送する複数の無線遠隔基地局とを備える。
【発明の効果】
【００２０】
本発明は、波長分割多重方式の受動型光加入者網に、無線サービスを提供するための光無線網を統合することで、別途に光無線網を構成することなく、無線網加入者に超高速の広帯域サービスを提供できる。そして、光無線網の設備確保に伴うコストを低減でき、ネットワークの拡充にかかる時間も低減できる。
【００２１】
また、限られた有線網市場と急増する無線網市場とを統合することで、サービス提供者側の収益性を向上でき、これにより、より低コストで加入者にサービスを提供することができる。
【００２２】
加えて、有線及び無線網を統合した受動型光加入者網は、維持及び管理の統合が可能となるため、それにかかるコストも低減できる。
【発明を実施するための最良の形態】
【００２３】
以下、添付図面に基づいて、本発明の実施の形態を詳細に説明する。本発明において、関連した公知の機能や構成についての具体的な説明が本発明の要旨を不明確にする可能性がある場合には、その詳細な説明を省略する。
【００２４】
図３は、本発明の第１の実施形態による光加入者網の構成を示す図であり、図４Ａ〜図４Ｄは、図３に示す光加入者網を説明するためのグラフである。図３及び図４Ａ〜図４Ｄを参照すれば、本発明の第１の実施形態による波長分割多重方式の光加入者網２００は、高速の有線データサービスを提供するための第１の光信号群２０３と、無線データサービスを複数の無線遠隔基地局２３２-１〜２３２-Ｎに転送するために印加された第２の光信号群２０４と、を多重化する中央基地局２１０と、中央基地局２１０から受信した多重化した下り光信号２０２を逆多重化する地域基地局２２０と、地域基地局２２０で逆多重化した第１及び第２の光信号群２０３、２０４が提供される加入者装置群２３０とを含む。加入者装置群２３０は、地域基地局２２０と各々接続している複数の加入者装置２３１-１〜２３１-Ｎと、地域基地局２２０と各々接続している複数の無線遠隔基地局２３２-１〜２３２-Ｎとを含む。
【００２５】
中央基地局２１０は、広波長帯域の光を生成するための広帯域光源（ＢＬＳ）２１４と、有線データを転送するための光波長帯域と、無線信号を転送するための光波長帯域と、を分離するバンド割当てモジュール(Ｂａｎｄ-Ａｌｌｏｃａｔｉｏｎ  Ｍｏｄｕｌｅ：ＢＡＭ)２１５と、多重化器２１３と、波長ロックされた第１の光信号群２０３を生成するための複数の光源２１１-１〜２１１-Ｎと、多重化器２１３に接続しており、広帯域光源２１４、多重化器２１３及び複数の光源２１１-１〜２１１-Ｎで直接生成された波長ロックされた第１の光信号群２０３とは異なる波長帯域として、バンド割当てモジュール２１５により遮断された光波長帯域の無線データを持つ第２の光信号群２０４に変換する複数の電光変換部２１２-１〜２１２-Ｎと、サーキュレータ２１６とを含む。
【００２６】
多重化器２１３は、第１の光信号群２０３と第２の光信号群２０４を多重化して、サーキュレータ２１６を介して地域基地局２２０に出力し、サーキュレータ２１６を介して入力された広波長帯域光２０１を、相異なる波長を有する複数の非干渉性チャンネルλ１〜λＮに逆多重化して、光源２１１-１〜２１１-Ｎに出力する。各光源２１１-１〜２１１-Ｎは、非干渉性チャンネルにより波長ロックされた第１の光信号群２０３の各波長帯域の光λ１〜λＮを生成して、多重化器２１３に出力する。
【００２７】
サーキュレータ２１６は、多重化器２１３で多重化した下り光信号２０２を地域基地局２２０に出力し、広帯域光源２１４で生成された広波長帯域光２０１を多重化器２１３に出力する。
【００２８】
図４Ａから図４Ｄは、広波長帯域光２０１を説明するためのグラフである。図４Ａから図４Ｄを参照すれば、バンド割当てモジュール２１５は、広帯域光源２１４で生成された光λ１〜λ２Ｎの波長帯域のうち（図４Ａ）、第２の光信号群２０４と重複する波長帯域λＮ+１〜λ２Ｎを除いた波長帯域を有する光λ１〜λＮのみをサーキュレータ２１６に通過させる（図４Ｂ）。通過した波長帯域の光λ１〜λＮ（図４Ｃ）は、多重化器２１３を経て、有線データが印加される光源２１１-１〜２１１-Ｎ（Ｔｘ１〜ＴｘＮ）の波長ロック光源として使用されて第１の光信号群２０３（λ１〜λＮ）の波長帯域として使用され、通過しない波長帯域の光λＮ+１〜λ２Ｎ（図４Ｄ）は、無線データサービスのために割り当てられた帯域として、各電光変換部２１２-１〜２１２-Ｎに印加された無線電気信号を、電光変換した第２の光信号群２０４（λＮ+１〜λ２Ｎ）の波長帯域として使用される。
【００２９】
図５Ａは、図３に示す電光変換部２１２-１〜２１２-Ｎの構成を示すブロック図である。同図を参照すれば、各電光変換部２１２-１〜２１２-Ｎは、無線データサービスのための無線電気信号２０６を、無線サービス帯域の周波数帯域に変換するＲＦ変換器(ＲＦ  Ｃｏｎｖｅｒｔｅｒ)２１２ａ-Ｎと、ＲＦ変換器２１２ａ-Ｎで出力された無線電気信号２０６を、λ２Ｎの波長を有する第２の光信号群２０４に変換する電光変換器２１２ｂ-Ｎとを含む。
【００３０】
ＲＦ変換器２１２ａ-Ｎは、既定の帯域幅を有する基底帯域(Ｂａｓｅｂａｎｄ)の無線転送のためのデータ２０５を、所定のＲＦ周波数２０７帯域に上り変換し、ＲＦ周波数２０７帯域に上り変換された無線電気信号２０６を、電光変換器２１２ｂ-Ｎに出力する。電光変換器２１２ｂ-Ｎは、無線電気信号２０６を第２の光信号群２０４に変換するための素子であり、半導体レーザーや半導体光増幅器などが用いられ、その他にも、マッハツェンダー(Ｍａｃｈ-Ｚｅｎｄｅｒ)干渉計構造を持つ外部光変調器などが用いられる。 
【００３１】
地域基地局２２０は、中央基地局２１０で多重化した下り光信号２０２を光転送した後、加入者装置群２３０に分配するために逆多重化する逆多重化器２２１を含む。
【００３２】
各加入者装置２３１-１〜２３１-Ｎは、地域基地局２２０と接続しており、逆多重化した第１の光信号群２０３が、各加入者装置２３１-１〜２３１-Ｎに分配された後に、加入者装置２３１-１〜２３１-Ｎごとに光信号を受信するための光検出器Ｒｘ１〜ＲｘＮを含む。光検出器Ｒｘ１〜ＲｘＮとしてはフォトダイオードなどを含むことができる。
【００３３】
図５Ｂは、図３に示す無線遠隔基地局２３２-１〜２３２-Ｎの構成を示すブロック図である。同図を参照すれば、各無線遠隔基地局２３２-１〜２３２-Ｎは、各々逆多重化された第２の光信号群２０４（λＮ+１〜λ２Ｎ）のうち、対応する波長λ２Ｎを無線電気信号に変換する光電変換器２３２ａ-Ｎと、光電変換器２３２ａ-Ｎから入力された無線電気信号を無線転送するためのアンテナ２３２ｂ-Ｎとを含む。光電変換器２３２ａ-Ｎとしてはフォトダイオードなどを含むことができる。
【００３４】
無線遠隔基地局２３２-１〜２３２-Ｎは、無線ＬＡＮを含む複数の端末機に無線電気信号を転送するためのホット-スポット地域基地局(Ｈｏｔ-Ｓｐｏｔ  Ｂａｓｅ  Ｓｔａｔｉｏｎ)の機能を行い、又は携帯用無線端末機に無線電気信号を転送する移動通信地域基地局の機能を行うことができる。
【００３５】
図６は、本発明の第２の実施形態による光加入者網の構成を示す図である。本発明の第２の実施形態による双方向通信のための受動型光加入者網３００は、有線データを転送するための第１の下り光信号群３０１と、無線データを転送するために割り当てられた第２の下り光信号群３０２とを多重化する中央基地局３１０と、中央基地局３１０と光ファイバを通して接続しており、中央基地局３１０から受信された多重化した下り光信号３０３を逆多重化する地域基地局３２０と、地域基地局３２０と接続している複数の加入者装置３３０-１〜３３０-Ｎと、地域基地局３２０と接続している複数の無線遠隔基地局３４０-１〜３４０-Ｎとを含む。
【００３６】
各加入者装置３３０-１〜３３０-Ｎは、各々逆多重化した、第１の下り光信号群３０１（λ１〜λｉ）のうち、各加入者装置３３０-１〜３３０-Ｎに割り当てられた所定の波長の光信号を各々受信し、波長ロックされた第１の上り光信号群３０６(λｍ+１〜λＮ)を、地域基地局３２０を介して中央基地局３１０に出力する。各無線遠隔基地局３４０-１〜３４０-Ｎは、各々逆多重化した第２の下り光信号群３０２（λｉ+１〜λj）のうち、各無線遠隔基地局３４０-１〜３４０-Ｎに割り当てられた所定の波長の光信号を無線電気信号に変換して、変換された無線電気信号を無線転送し、第２の上り光信号群３０８（λｋ+１〜λｍ）を地域基地局３２０に出力する。
【００３７】
中央基地局３１０は、広帯域光源３１４と、第１の多重化/逆多重化器３１３と、波長ロックされた有線データを転送するための第１の下り光信号群３０１を生成する複数の下り送信器３１１-１〜３１１-Ｎと、無線データサービスのための第２の下り光信号群３０２を生成する複数の電光変換部３１２-１〜３１２-Ｎと、逆多重化した第１の上り光信号群３０６を検出する複数の上り光検出器３１７-１〜３１７-Ｎと、波長選択結合器３１６-１〜３１６-Ｎと、光結合器３１５と、第１及び第２のバンド割当てモジュール（ＢＡＭ）３１８ａ、３１８ｂとを含む。
【００３８】
図７Ａ及び図７Ｂは、図６に示す広帯域光源３１４と、第１及び第２のバンド割当てモジュール３１８ａ、３１８ｂとの関係を説明するためのグラフである。図７Ａを参照すれば、広帯域光源３１４は広波長帯域の光λ１〜λＮを生成する。光λ１〜λＮは、第１の下り光信号群３０１（λ１〜λｉ）を波長ロックするための波長帯域λ１〜λｉと、各加入者装置３３０-１〜３３０-Ｎから中央基地局３１０に第１の上り光信号群３０６を波長ロックするための波長帯域λｍ+１〜λＮと、中央基地局３１０から各無線遠隔基地局３４０-１〜３４０-Ｎに下り転送する第２の下り光信号群３０２として用いるために、第１のバンド割当てモジュール３１８ａにより遮断された波長帯域λｉ+１〜λjと、各無線遠隔基地局３４０-１〜３４０-Ｎから中央基地局３１０に上り転送する第２の上り光信号群３０８として用いるために、第２のバンド割当てモジュール３１８ｂにより遮断された波長帯域λｋ+１〜λｍとからなる。
【００３９】
すなわち、第１のバンド割当てモジュール３１８ａは、広帯域光源３１４と光結合器３１５との間に配置され、光の波長帯域λ１〜λＮのうち、下り転送するための第２の下り光信号群３０２の波長帯域λｉ+１〜λjと重複する波長帯域λｉ+１〜λjを遮断する。また、第２のバンド割当てモジュール３１８ｂは、広帯域光源３１４と光結合器３１５との間に配置され、上り転送するための第２の上り光信号群３０８の波長帯域λｋ+１〜λｍと重複する波長帯域λｋ+１〜λｍを遮断する。
【００４０】
つまり、第１及び第２のバンド割当てモジュール３１８ａ、３１８ｂは、下り及び上り転送するための第２の下り光信号群３０２と第２の上り信号群３０８との波長帯域λｉ+１〜λj、λｋ+１〜λｍと、広帯域光源３１４で生成された光の波長帯域の中の一部とが重複することを防止することで、電光変換部３１２-１〜３１２-Ｎでのノイズ発生を抑制する。
【００４１】
第１の多重化/逆多重化器３１３は、第１の下り光信号群３０１と、電光変換部３１２-１〜３１２-Ｎで生成された第２の下り光信号群３０２とを、下り光信号３０３に多重化して地域基地局３２０に出力し、地域基地局３２０で多重化した上り光信号３０７を第１及び第２の上り光信号群３０６、３０８に逆多重化し、上り光検出器３１７-１〜３１７-Ｎ及び電光変換部３１２-１〜３１２-Ｎに出力する。また、第１の多重化/逆多重化器３１３は、光結合器３１５を通して入力された波長帯域λ１〜λｉの下り光３０４を互いに異なる波長を有する複数の非干渉性チャンネルに逆多重化して、下り送信器３１１-１〜３１１-Ｎに出力し、各下り送信器３１１-１〜３１１-Ｎは、非干渉性チャンネルにより波長ロックされた第１の下り光信号群３０１を生成する。
【００４２】
各波長選択結合器３１６-１〜３１６-Ｎは、下り送信器３１１-１〜３１１-Ｎで波長ロックされたλ１〜λｉ帯域の第１の下り光信号群３０１を第１の多重化/逆多重化器３１３に出力し、第１の多重化/逆多重化器３１３で逆多重化した第１の上り光信号群３０６を上り光検出器３１７-１〜３１７-Ｎに出力する。光結合器３１５は、第１の多重化/逆多重化器３１３と地域基地局３２０との間に配置され、広帯域光源３１４に接続していることで、下り光３０４を第１の多重化/逆多重化器３１３に出力し、上り光３０５を地域基地局３２０に出力する。
【００４３】
地域基地局３２０は、多重化した下り信号３０３を逆多重化して、第１の下り光信号群３０１として加入者装置３３０-１〜３３０-Ｎに出力し、第２の下り光信号群３０２として無線遠隔基地局３４０-１〜３４０-Ｎに出力する、第２の多重化/逆多重化器３２１を含む。また、第２の多重化/逆多重化器３２１は、加入者装置３３０-１〜３３０-Ｎから入力された第１の上り光信号群３０６及び無線遠隔基地局３４０-１〜３４０-Ｎから入力された第２の上り光信号群３０８を上り光信号３０７に多重化し、多重化した上り光信号３０７を中央基地局３１０に出力する。その他にも、第２の多重化/逆多重化器３２１は、上り光３０５を互いに異なる波長を有する複数の非干渉性チャンネルに逆多重化し、加入者装置３３０-１〜３３０-Ｎに出力する。
【００４４】
各加入者装置３３０-１〜３３０-Ｎは、第１の下り光信号群３０１（λ１〜λｉ）の対応する波長を検出する下り光検出器（Ｒｘ）３３２と、非干渉性チャンネルにより波長ロックされた第１の上り光信号群３０６を生成するための上り光源（Ｔｘ）３３３と、第１の上り光信号群３０６を地域基地局３２０に出力し、地域基地局３２０から入力された第１の下り光信号群３０１を下り光検出器３３２に出力する波長選択結合器３３１とを含む。
【００４５】
下り光検出器３３２としてはフォトダイオードなどが用いられ、波長ロックされた上り光信号を生成するための上り光源３３３としては、半導体光増幅器やファブリーペローレーザーなどが用いられる。
【００４６】
図８は、図６に示す無線遠隔基地局３４０-Ｎ'の一例を示す図である。同図を参照すれば、各無線遠隔基地局３４０-Ｎ'は、地域基地局３２０から入力されたλｉ+１〜λj波長帯域を持つ第２の下り光信号群３０２の所定の波長の光信号（λj）を、ホットスポット(Ｈｏｔ  ｓｐｏｔ)地域において無線ＬＡＮ信号の各端末機に伝達する遠隔基地局(Ｂａｓｅ  ｓｔａｔｉｏｎ)４１０と、遠隔地までＷＬＡＮサービスを拡大するための無線信号送信部４２０とを含む。
【００４７】
無線信号送信部４２０は、第２の下り光信号群３０２の所定の波長の光信号を無線電気信号に変換する光電変換器４２２と、無線電気信号を転送するアンテナ４２１とを含み、光電変換器４２２はフォトダイオードなどが用いられる。そして、無線信号送信部４２０は、遠隔基地局４１０の指示に応じて入力される無線遠隔基地局３４０-Ｎ'に印加された第２の下り光信号群３０２の所定の波長の光信号を無線電気信号に変換し、無線電気信号を隣接した無線ＬＡＮ端末機を含む携帯用通信装置４０１ａ、４０１ｂ、４０１ｃに転送する。
【００４８】
図９は、図６に示す移動通信サービスのための無線遠隔基地局３４０-Ｎ″の他の一例を示す図である。同図を参照すれば、無線遠隔基地局３４０-Ｎ″は、地域基地局３２０から入力される第２の下り光信号群３０２の所定の波長の光信号（λj）を分配する遠隔基地局５１３と、遠隔基地局５１３と接続している複数の無線送信部５１０-１〜５１０-Ｎとを含む。
【００４９】
各無線送信部５１０-１〜５１０-Ｎは、遠隔基地局５１３から入力される第２の下り光信号群３０２の所定の波長の光信号を無線電気信号に変換し、隣接した携帯用無線端末機に送信するものであって、第２の下り光信号群３０２の所定の波長の光信号を無線電気信号に変換する光電変換器５１２と、無線電気信号を転送するアンテナ５１１とを含む。
【００５０】
図１０は、本発明の第３の実施形態による双方向の受動型光加入者網の構成を示す図である。図１０を参照すれば、本実施形態による受動型光加入者網４００は、有線データ（ＤＡＴＡ１、ＤＡＴＡ２）を転送するための第１の下り光信号群４０１と、無線データ（ＤＡＴＡ３、３Ｇ）サービスのための第２の下り光信号群４０２とを多重化する中央基地局４１０と、中央基地局４１０とリンクされた地域基地局４２０と、地域基地局４２０と接続している複数の加入者装置４３０と、地域基地局４２０と接続している複数の無線遠隔基地局４５０とを含む。なお、説明の簡略化のために図１０においては無線遠隔基地局４５０を一つだけ示した。
【００５１】
中央基地局４１０は、第１及び第２の下り光信号群４０１、４０２を下り光信号４０３に多重化して地域基地局４２０に出力し、地域基地局４２０で多重化した上り光信号４０７を第１及び第２の上り光信号群４０６、４０８の各々に逆多重化して検出する。中央基地局４１０は、有線データを転送するための第１の下り光信号群４０１の各波長の光信号を生成する複数の下り送信器(Ｔx１、Ｔx２)４１１と、第１の上り光信号群４０６の各波長の光信号を検出する複数の上り光検出器(Ｒx１、Ｒx２)４１６と、波長選択結合器４１７と、広波長帯域の光を生成する広帯域光源４１３と、第１及び第２の下り光信号群４０１、４０２を下り光信号４０３に多重化して地域基地局４２０に出力し、上り光信号４０７を各波長によって分割して下り送信器４１１に出力する多重化器４１２と、時分割または周波数分割により多重化した第２の下り光信号群４０２を生成する光送信モジュール４４０と、広波長帯域光を多重化器４１２又は地域基地局４２０に出力し、多重化した下り光信号４０３を地域基地局４２０に出力するか、又は、多重化した上り光信号４０７を多重化器４１２に出力するサーキュレータ４１９と、光結合器４１８と、第１及び第２のバンド割当てモジュール４１４、４１５とを含む。第１及び第２のバンド割当てモジュール４１４、４１５は、広帯域光源４１３により生成された広帯域光の中で、第２の下り光信号群４０２及び第２の上り光信号群４０８のための波長帯域を除いた残りの波長帯域のみの光である下り光４０４と上り光４０５とを、光結合器４１８を介してサーキュレータ４１９に出力し、サーキュレータ４１９は、この光を多重化器４１２又は地域基地局４２０の各々に出力する。
【００５２】
サーキュレータ４１９は、広帯域光源４１３で生成された光の一部の波長帯域である下り光４０４を多重化器４１２に出力し、多重化した下り光信号４０３を地域基地局４２０に出力する。また、サーキュレータ４１９は、回転方向を反対に配置することにより、広帯域光源４１３で生成された光の一部の波長帯域である上り光４０５を地域基地局４２０に出力し、地域基地局４２０で多重化した上り光信号４０７を多重化器４１２に出力する。
【００５３】
なお、本実施形態では、図３に示す本発明の第１の実施形態のごとく、下り又は上りの一方へのみ光信号を進行させる場合について説明をしたが、図６に示す本発明の第２の実施形態のごとく、サーキュレータ４１９を備えず、光結合器４１８にのみによる接続形態とすることも可能である。この場合、光結合器４１８は、多重化器４１２と地域基地局４２０との間を接続する光線路上に配置され、広帯域光源４１３に接続していることで、下り光４０４を多重化４１２に出力し、上り光４０５を地域基地局４２０に出力する。また、光結合器４１８は、多重化した下り光信号４０３を地域基地局４２０に出力し、多重化した上り光信号４０７を多重化器４１２に出力する。このようにして、双方向の送受信も可能となる。
【００５４】
第１のバンド割当てモジュール４１４は、広帯域光源４１３と光結合器４１８との間に位置し、広帯域光源４１３で生成された光の波長帯域のうち、第２の下り光信号群４０２の波長帯域と重複する波長帯域は遮断し、残りの波長帯域の光を下り光４０４として、光結合器４１８に出力する。
【００５５】
第２のバンド割当てモジュール４１５は、広帯域光源４１３と光結合器４１８との間に位置し、広帯域光源４１３で生成された光の波長帯域のうち、第２の上り光信号群４０８の波長帯域と重複する波長帯域は遮断し、残りの波長帯域の光を上り光４０５として、光結合器４１８に出力する。
【００５６】
第２の下り光信号群４０２は、時分割多重化したイーサネット(登録商標)網の信号Ｄａｔａ３と、周波数多重化した無線信号３Ｇとからなることができる。
【００５７】
上り光検出器４１６は、フォトダイオードなどが用いられ、複数の加入者装置４３０で生成された第１の上り光信号群４０６の所定の波長の光信号を検出する。また、波長選択結合器４１７は、下り光送信器４１１で生成された第１の下り光信号群４０１の所定の光信号を第１の多重化器４１２に出力し、第１の多重化器４１２から第１の上り光信号群４０６の所定の波長の光信号を上り光検出器４１６に出力する。
【００５８】
光送信モジュール４４０は、所定の波長の第１の搬送信号によって第１の無線信号(ａ)を変調する第１の変調器４４２と、第１の無線信号(ａ)を生成する第１の無線生成器４４４と、時分割または周波数分割した第２の搬送信号によって第２の無線信号(ｂ)を変調する第２の変調器４４３と、第２の無線信号(ｂ)を生成する第２の無線生成器４４５と、第１及び第２の無線信号(ａ）、（ｂ)を結合するコンバージョン４４６と、第１及び第２の無線信号(ａ）、（ｂ)を第２の下り光信号群(ｃ)（第２の下り光信号群４０２）に電光変換して多重化器４１２に出力する電光変換器４４１とを含む。
【００５９】
地域基地局４２０は、中央基地局４１０、加入者装置群４３０及び無線遠隔基地局４５０の間に位置し、中央基地局４１０から受信された下りの光信号を逆多重化して加入者装置群４３０及び無線遠隔基地局４５０に出力し、第１及び第２の上り光信号群４０６、４０８を、上り光信号４０７に多重化して中央基地局４１０に出力するためのアレイ導波路回折格子などの多重化/逆多重化器を含むことができる。
【００６０】
加入者装置群４３０の各々は、地域基地局４２０で逆多重化した第１の下り光信号群４０１のうち、所定の波長の光信号を受信する下り光検出器４３１と、第１の上り光信号群４０６を生成する上り光送信器４３２と、波長選択結合器４３３とを含む。
【００６１】
各無線遠隔基地局４５０は、各々逆多重化した第２の下り光信号群４０２のうち、所定の波長の光信号を無線電気信号に変換する無線送信部４５１と、無線電気信号を隣接した携帯用無線端末機に送信するアンテナ４５２とを含む。
【００６２】
図１１は、図１０の電光変換部４４１の具体例を示す図である。図１１は、無線データの光伝送の場合、デジタル伝送及びアナログ伝送のためのベースバンド信号（ａ）及びＲＦ信号（ｂ）を同時に光伝送する場合、レーザダイオードを利用して電光変換することができる例（ｃ）を示し、レーザダイオードのアノード（Anode）及びカソード(Cathode)にそれぞれのデータを印加して伝送することができることを示すものである。
【００６３】
図１２は、図１０に示す無線遠隔基地局の無線送信部の構成の一例を示す図である。同図を参照すれば、各無線遠隔基地局４５０の無線送信部４５１は、第２の下り光信号(ａ)（第２の下り光信号群４０２）を無線電気信号に変換する光電変換器５０１と、無線電気信号を無線通信信号(ｃ)及び無線ＬＡＮ信号(ｂ)に分割出力する無線信号逆多重化器５１０と、無線通信信号(ｃ)を増幅する電力増幅器(Ｐｏｗｅｒ  ａｍｐｌｉｆｉｅｒ：ＰＡ)５０３と、無線通信信号(ｃ)及び無線ＬＡＮ信号(ｂ)を区分するダイプレクサ５３０と、ダイプレクサ５３０と電力増幅器５０３との間に位置し、無線通信信号(ｃ)が上りまたは下りリンクかを確認するデュプレクサ５２０と、無線信号逆多重化器５１０及びダイプレクサ５３０から入力された無線ＬＡＮ信号を２.４ＧＨz帯域(ｄ)に変換し、ダイプレクサ５３０を通して転送する無線ＬＡＮ変換器５４０と、デュプレクサ５２０から入力された無線ＬＡＮ信号(ｂ)を増幅する無線ＬＡＮ信号増幅器５０４と、無線ＬＡＮ信号増幅器５０４及び無線ＬＡＮ変換器５４０から入力された無線ＬＡＮ信号(ｂ)を多重化して上り転送する無線ＬＡＮ信号多重化器５５０と、無線ＬＡＮ信号を第２の上り光信号に変換する電光変換器５０２と、光電変換器５０１及び電光変換器５０２を地域基地局４２０にリンクする波長選択結合器５０５とを含む。
【００６４】
図１２（ｆ）は、デュプレクサ５２０のバンドを示しており、ＰＡ５０３を通じて印加される３Ｇ下りリンク信号とダイプレクサ５３０を通じて印加される３Ｇ上りリンク信号を分離する機能を有するデュプレクサ５２０のバンド割当方式を示すものである。図１２（ｆ）においてＳ２１は上りリンク信号を示し、Ｓ１３下りリンク信号帯域を示している。
【００６５】
図１２（ｇ）は、デュプレクサ５２０と無線ＬＡＮ変換器５４０とを通じて印加される３Ｇ及びＷＬＡＮ信号帯域を分離する機能を有するダイプレクサ５３０のバンド割当方式を示すものである。ここで、Ｓ２１は３Ｇの上り／下りリンク信号の帯域を示し、Ｓ３１はＷＬＡＮ帯域を示している。
【図面の簡単な説明】
【００６６】
【図１】従来技術による波長分割多重方式の光加入者網を示す図である。
【図２Ａ】図１の光加入者網を説明するためのグラフである。
【図２Ｂ】図１の光加入者網を説明するためのグラフである。
【図２Ｃ】図１の光加入者網を説明するためのグラフである。
【図２Ｄ】図１の光加入者網を説明するためのグラフである。
【図３】本発明の第１の実施形態による光加入者網の構成を示す図である。
【図４Ａ】図３に示す光加入者網を説明するためのグラフである。
【図４Ｂ】図３に示す光加入者網を説明するためのグラフである。
【図４Ｃ】図３に示す光加入者網を説明するためのグラフである。
【図４Ｄ】図３に示す光加入者網を説明するためのグラフである。
【図５Ａ】図３に示す電光変換部の構成を示すブロック図である。
【図５Ｂ】図３に示す無線遠隔基地局の構成を示すブロック図である。
【図６】本発明の第２の実施形態による受動型光加入者網の構成を示す図である。
【図７Ａ】図６に示す広帯域光源と第１及び第２バンド割当てモジュールとの関係を説明するためのグラフである。
【図７Ｂ】図６に示す広帯域光源と第１及び第２バンド割当てモジュールとの関係を説明するためのグラフである。
【図８】図６に示す無線遠隔基地局の一例を示す図である。
【図９】図６に示す無線遠隔基地局の一例を示す図である。
【図１０】本発明の第３の実施形態による受動型光加入者網の構成を示す図である。
【図１１】図１０の各構成における信号の流れを説明するためのグラフである。
【図１２】図１０に示す無線送信部の構成の一例を示す図である。
【符号の説明】
【００６７】
２００：光加入者網
２１０：中央基地局
２１１：光源
２１２：電光変換部
２１３：多重化器
２１４：広帯域光源
２１５：バンド割当てモジュール
２１６：サーキュレータ
２２０：地域基地局
２２１：逆多重化器
２３０：加入者装置群
２３１：加入者装置
２３２：無線遠隔基地局
【図１】
2006067603.tif 000003
【図２Ａ】
2006067603.tif 000004
【図２Ｂ】
2006067603.tif 000005
【図２Ｃ】
2006067603.tif 000006
【図２Ｄ】
2006067603.tif 000007
【図３】
2006067603.tif 000008
【図４Ａ】
2006067603.tif 000009
【図４Ｂ】
2006067603.tif 000010
【図４Ｃ】
2006067603.tif 000011
【図４Ｄ】
2006067603.tif 000012
【図５Ａ】
2006067603.tif 000013
【図５Ｂ】
2006067603.tif 000014
【図６】
2006067603.tif 000015
【図７Ａ】
2006067603.tif 000016
【図７Ｂ】
2006067603.tif 000017
【図８】
2006067603.tif 000018
【図９】
2006067603.tif 000019
【図１０】
2006067603.tif 000020
【図１１】
2006067603.tif 000021
【図１２】
2006067603.tif 000022